Podtech/llm-jp-corpus-v4-ja_patent huggingface dataset:
(57)【要約】【課題】  釣鐘形状で頭部に中心孔を有し、頂部内側に浮力材が固定装着され、外周部分に複数の流入孔を有し、下面が開口した上篭本体と、この本体の蓋及び、おもりの役目となる下篭本体とを、心棒にて連結して形成された撒餌篭において、下篭本体の内部に装備されたおもりの取替が可能となる撒餌篭を提供する。更に、上篭本体の内部の撒餌の放出を早め、同一のポイントにて集魚効果を高め、早めの釣果が期待できる撒餌篭を提供する。【解決手段】  下篭本体４を構成している上部蓋体７と下部蓋体９とを分離し、両者をネジ形状にて接合させる事により、おもり８の取替が可能となる撒餌篭を提供する。更に上篭本体３の内側の浮力材１の下方に、水中において沈下する落とし蓋１５を心棒６を通して具備することにより、上篭本体８の内部の撤餌を下方に押し出し、撒餌の放出を早め、同一のポイントにて集魚効果を高め、釣果を早く得ようとするものである。【選択図】  図１
0003113048.tif 000002
【実用新案登録請求の範囲】
【請求項１】
釣鐘形状で頭部に中心孔を有し、頂部内側に浮力材が固定装着され外周部分に複数の流入孔を有し、下面が開口した上篭本体と、心棒にて連結されたこの本体の蓋及び、おもりの役目となる下篭本体とで構成された撒餌篭において、上下の止め金にて固定され、且つ心棒より取り外しの不可能な下篭本体を、上部蓋体と下部蓋体に分離し、両者をネジ形状にて接合させることにより、下篭本体の内部のおもりの取替が可能となることを特徴とする撒餌篭である。
【請求項２】
上記の撒餌篭において、上篭本体内部の撒餌の放出を早め、同一のポイントにて集魚効果を高めるための、落とし蓋が具備されていることを特徴とする撒餌篭である。
【考案の詳細な説明】
【技術分野】
【０００１】  この考案は、魚釣用のえさ篭に関するものである。
【背景技術】
【０００２】  従来の撒餌篭は図３に示すように、内部の頂部に浮力材１を固定装着し、外周部に複数の流入孔２を有し、下面が開口した釣鐘状の上篭本体３と本体の蓋の役目及び、おもりの部分となる下篭本体４とで構成されている。更に、上篭本体８の頭部中心孔５より浮力材１を通し、下篭本体４とを心棒６にて連結して形成されており、上篭本体３は浮動自由となっている。【０００３】  従来の撒餌篭は図４に示すように、下篭本体は上部蓋体７とおもり８及び、下部蓋体９とで構成された複合体であり、心棒６を通して上部止め金１０と下部止め金１１にて、上部蓋体７と下部蓋体９とを挟み、単体として形成され、心棒６より外れる事が出来ない構成となっている。【０００４】  図３に示すような従来の撒餌篭においては、上篭本体３の内部からの撒餌の放出は自然任せであり、放出するまでの時間が一定せず、同一ポイントでの集魚効果が薄れる恐れがある。
【考案の開示】
【考案が解決しょうとする課題】
【０００５】  従来の篭においては、図３に示すように下篭本体４は、上部止め金１０と下部止め金１１の装着により、心棒６を通しての上下移動を制止させておりこのために内部のおもり８の取替は不可能である。
本考案は、下篭本体４内部のおもり８の取替が可能となることを解決しょうとするものである。
【特許文献１】  実開平４−１２０４８４
【０００６】  従来の篭においては図３に示すように、上篭本体３の内部の撒餌の放出は自然任せであり、放出するまでの時間が一定せず、撒餌の放出ポイントが定まらず、撒餌による集魚効果が薄れる恐れがある。
本考案は、撒餌の放出を早め、同一のポイントにて集魚効果を高め、より早い釣果を得ようとするものである。
【課題を解決するための手段】
【０００７】  本考案は、図３において下篭本体４を固定している上部止め金１０と、下部止め金１１を心棒６より取り外し、図２に示すように上部蓋体７と下部蓋体９を、ネジ形状にて接合させることにより、内部のおもり８を取替可能とする撒餌篭である。
【０００８】  本考案は図２に示すように、止め金１２は上部蓋体７の下方移動を制止させ、心棒６の軸受け１３は下部蓋体９の上部移動を制止させており、図１に示すように、一体化された下篭本体４は、心棒６を通しての上下移動及び、離脱を不可能とした撒餌篭である。
【０００９】  本考案は図２に示すように、水中にて上篭本体の内部の撒餌を下方に押し出すための、おもり金具１４を固定装着し、水圧を逃がすための流入孔１６を具備した落とし蓋１５を装着することにより、撒餌の放出が早くなり、同一のポイントにて集魚効果を高め、早めの釣果を得ようとするものである。
【考案の効果】
【００１０】  従来の撒餌篭において、おもりの交換が可能な撒餌篭もあるが、特殊形状のおもりを使用のため、本考案の撒餌篭には不具合である。
本考案の撒餌篭は、一般に市販されている丸型おもりを使用のため実用性に優れている。
【特許文献１】  実開平４−３５６８
【００１１】  従来の撒餌篭においては、浮力の異なる浮子毎に撒餌篭を買い揃える必要があるが、本考案の撒餌篭においては簡単におもりの交換が可能であり、このために撒餌篭を買い揃える必要性がなくなり、経済的、且つ利便性に優れている。
【００１２】  本考案の撒餌篭は、図３に示すような従来の撒餌篭同様、流線型であり、飛行時における空気抵抗及び、水中降下時における水の抵抗を受けにくいため、遠投性を重視した撒餌篭に適している。
【００１３】  本考案の撒餌篭は、図１に示すように上篭本体３の内部に装着された落とし蓋１５により、上篭本体３の内部の撒餌が上部より押し出され、撒餌の放出が早くなり、同一のポイントにて集魚効果を高め、早めの釣果が期待できる。
【図面の簡単な説明】
【００１４】
【図１】  本考案の撒餌篭の断面図である。
【図２】  本考案の撒餌篭における、落とし蓋及び、下篭本体の組立状態を示す斜視図である。
【図３】  従来の撒餌篭の断面図である。
【図４】  従来の撒餌篭における、下篭本体の組立状態を示す断面図である。
【図５】  本考案の撒餌篭の使用状態を示し、（イ）は撒餌篭の水中降下時の状態を示す図、（ロ）は撒餌放出の状態を示す図、（ハ）は撒餌放出後の状態を示す図である。
【図１】
0003113048.tif 000003
【図２】
0003113048.tif 000004
【図３】
0003113048.tif 000005
【図４】
0003113048.tif 000006
【図５】
0003113048.tif 000007
(57)【要約】      （修正有）【課題】ハチミツ、シロップ等、粘着質の液体をすくうと、スプーンに付着した液体が、ゆっくりと垂れ落ちて、糸を引き続ける。容器の縁等を汚したくない場合は、この糸が切れるまで待たなくてはならないことがあるが、この糸引き状態の現象を解消するスプーンの提供。【解決手段】スプーン（２）の、すくう部位（１）の底面の最もふくらんだ、凸状の部位から、手に持つ柄（３）の部位を出すようにする。このスプーン（２）で液体をすくうと、スプーン（２）を垂直に立たせることになるのだが、つまり、すくうと、すくう部位（１）が上向きに、柄（３）が、その真下になるような形状にするのである。【選択図】図２
0003113061.tif 000002
【実用新案登録請求の範囲】
【請求項１】
すくう部位（１）の、底部の凸面の最もふくらんだ位置から、柄（３）が出ていることを特徴とする、スプーン。
【考案の詳細な説明】
【技術分野】
【０００１】  ハチミツ、シロップ等、粘着質の液体をすくう、スプーンに関するものである。
【背景技術】
【０００２】  通常のスプーンで、ハチミツ、シロップ等、粘着質の液体をすくうと、スプーン底面に付着した粘着質の液体が、糸を引きながら下に落ち続ける状態が続くことが多い。その状態のままスプーンを動かすと、容器の回り等を汚してしまうので、すぐに動かせず、待ち続ける状況にある。
特許文献１は、現在、市中に最も出回っているハチミツ専用スプーンで、円形の薄い板を一定の間隔をおいて複数個を一体としたすくう部位により、練状の液体をからめ取る方式のものである。
特許文献２は、粘着質の液体に限定してないが、すくう部位に、細かくスリットを入れて、毛細管現象により、液体を垂れ落とさない方式にしたものである。
【特許文献１】実開昭４９−１０９８７７号公報
【特許文献２】特開２００３−３８３３０号公報
【考案の開示】
【考案が解決しようとする課題】
【０００３】  液体が垂れ落ち続けるのは、スプーン底面の液体が引力に引かれて、下に落ちようとする力と、粘着力と表面張力とによって、スプーン底に付着しようとする力の拮抗によって起こっている現象である。
この現象を解消するスプーンが、特許文献１としてあるが、これは、実際には、多少の糸切れの時間を要し、又、パン等の、目的物に移す時、からめ取ったハチミツが素直に移らない場合がある。なおかつ、特許文献２の例と併せて、すくう部位の細部に入り込んだ液体を洗浄するのが、大変面倒な形状である。
【課題を解決するための手段】
【０００４】  このスプーンは、底面の最もふくらんだ、凸状の部位から、手に持つ柄の部位を出すようにする。
【考案の効果】
【０００５】  この形状にしたスプーン（２）でハチミツ等の液体をすくい、図４のように垂直に立てると、すくう部位（１）の縁や底面に付着している粘着質の液体は、真直ぐに、柄（３）のつけ根部分に向かって行き、付着するのである。すくった直後は、引力よりも粘着力が優り、液体は取り付いている物体の表面にそって、下部へ進んでいくからである。それから、従来のスプーンでは、液体は、底面の最も凸状の部分にたどり着いて、物体の表面がなくなると、空間へ落ちることになる。
だから、下部の最も凸状の部位から柄（３）を出せば、そこに液体はからみつくのである。液体は、空間に垂れ落ちることが出来なくなり、自らの粘着力と表面張力により、スプーン本体（２）に残留するようになるのである。
これにより、いつまでも垂れている糸が切れるのを待つ必要がなくなり、即座に、パンの上、皿、ナベ等、持って行きたい場所へ運べるようになる。【０００６】  こうすると、従来のスプーンですくう行為より、図４のように、すぐに垂直に立てるという動作が余分に増えることになるが、これは、垂れ落ちる糸が切れるのを待つよりも、結果、時間的にも精神的にも楽になるのである。【０００７】  この形状にすると、上記特許文献２例による、細かな透き間を設けたスプーンの、大変面倒だった洗浄が、通常のスプーンと同様の簡単な洗浄で済むようになる。
【考案を実施するための最良の形態】
【０００８】  スプーン（２）の、すくう部位（１）の底面の最もふくらんだ、凸状の部位から、手に持つ柄（３）の部位を出すようにする。
このスプーン（２）で液体をすくうと、図４のように、スプーン（２）を垂直に立たせることになるのだが、つまり、すくうと、すくう部位（１）が上向きに、柄（３）が、その真下になるような形状にするのである。【０００９】  すくう部位（１）の底面の凸部は、中心位置から、片側へずらした位置にするようにする。そして、その位置から図２のように、柄（３）を出すようにする。すると、図３のように、液体に差し込み易い形状になる。【００１０】  図５のように、柄（３）の途中に、液体の流れ止め突起（４）を設けてもよい。この突起は、貝殻、花びら等、様々な形状とデザインにより、機能美と装飾美を追求できる。【００１１】  図６のように、すくう部位（１）に、さらにすくい易くするために、かえり（５）を設けてもよい。これも、様々な形状とデザインにより、機能美と装飾美を追求できる。
【実施例】
【００１２】  これまでの記述では、すくう部位（１）の底面から、真下に向けて垂直に、柄（３）を設けた形状についてばかり述べてきたので、液体をすくった時は、図４のように、自動的に垂直にスプーン（２）を立てる形態になるべく記述してきた。しかし、柄（３）に角度をつけたり、柄（３）を曲線にすることによって、液体の入った容器に差し入れ易くする形状にしてもよい。柄（３）の曲がりも、様々なデザインにより、機能美と装飾美を追求できる。
試作し、実施を繰り返した結果、垂直に立てる動作は、無造作にでき、面倒を憶えることはない。もちろん、角度をつけた柄（３）、及び、曲線にした柄（３）も、慣れると、自然に扱えるようになる。
【図面の簡単な説明】
【００１３】
【図１】本発明による、スプーンの斜視図である。
【図２】（ａ）本発明による、スプーンの側面図である。（ｂ）スプーンを真上から見た図である。
【図３】容器の液体をすくう前の、手に持ったスプーンの図である。
【図４】液体をすくって、垂直に立てたスプーンの図である。
【図５】図１の、スプーンに流れ止め突起を、つけた場合の斜視図である。
【図６】（ａ）すくう部位に、かえりをつけた場合の側面図である。（ｂ）すくう部位に、かえりをつけた場合の斜視図である。
【符号の説明】
【００１４】    １  すくう部位
２  スプーン本体
３  柄
４  流れ止め突起
５  かえり
【図１】
0003113061.tif 000003
【図２】
0003113061.tif 000004
【図３】
0003113061.tif 000005
【図４】
0003113061.tif 000006
【図５】
0003113061.tif 000007
【図６】
0003113061.tif 000008
(57)【要約】【課題】  この考案は、「刺又」の機能を高め、かつ、陳列にも堪える美しいものにしたものである。【解決手段】  刺又に、飾り（１）とバスケット（２）と脚（３）を付けた。【選択図】    図１
0003113065.tif 000002
【実用新案登録請求の範囲】
【請求項１】
刺又（４）に、バスケット（２）を取り付け、着脱式の脚（３）および着脱式の飾り（１）を加え、刺又としても使用でき、装飾や情報掲示にも使用できる物。
【考案の詳細な説明】
【考案の詳細な説明】
刺又は、犯人の侵入時において、急を要すること、火災の際の消火器の比ではない。しかし、刺又を、そのままの形で、見えやすくて近いところに保管するのは、無粋なことである。そこで、平時には装飾や情報掲示用に使えるようにした。
あわせて、バスケット（２）の材料を金網とし、図２）のように、刺又のコテとすることによって、刃物による攻撃に対して安全性を高くする。そして、そのために、刺又の長さも、いくぶん短くすることができるので、使いやすくなる。
なお、刺又の使用時にバスケット（２）が腕の動きを阻害しないように、その取り付け部分には、ゴム製の止具を用いて、バスケットが動き得るようにする。
【図面の簡単な説明】
【図１】  本案の斜視図
【図２】  刺又の使用図
【符号の説明】
１は飾り、２はバスケット、３は脚、４は刺又、５はゴム製止具
【図１】
0003113065.tif 000003
【図２】
0003113065.tif 000004
(57)【要約】【課題】  使用するたびにパソコン本体にＣＣＤカメラを取り付ける必要がなく、これにより取付け作業の際、誤ってレンズに指紋を付けてしまうこともなく、またノートパソコンを移動させる場合でも別途ＣＣＤカメラも一緒に持ち運ぶ必要のないノートパソコンを提供すること。【解決手段】  モニター（１４）を包囲するモニター枠部（１２）の幅方向中央部にＣＣＤカメラ（１６）を内蔵し、インターネット等のコンピュータネットワークを通じてリアルタイムに画像を送りながら電子メールやチャットなど文字ベースでの会話を行なえるようにしたカメラ内蔵型のノートパソコン（１０）。【選択図】                      図１
0003113062.tif 000002
【実用新案登録請求の範囲】
【請求項１】
カメラを内蔵したパソコンであって、
モニターを包囲するモニター枠部にＣＣＤカメラを内蔵し、インターネット等のコンピュータネットワークを通じてリアルタイムに画像を送りながら電子メールやチャットなど文字ベースでの会話を行なえるようにしたことを特徴とするカメラ内蔵パソコン。
【請求項２】
カメラを内蔵したパソコンであって、
モニターを包囲するモニター枠部の幅方向中央部にＣＣＤカメラを内蔵し、インターネット等のコンピュータネットワークを通じてリアルタイムに画像を送りながら電子メールやチャットなど文字ベースでの会話を行なえるようにしたことを特徴とするカメラ内蔵パソコン。
【考案の詳細な説明】
【技術分野】
【０００１】  本考案はカメラ内蔵パソコンに関し、詳しくは、インターネット等のコンピュータネットワークを通じてリアルタイムに画像を送りながら電子メールやチャットなど文字ベースでの会話を行なえるようにしたカメラ内蔵パソコンに関する。
【背景技術】
【０００２】  従来、インターネット等のコンピュータネットワークを通じてリアルタイムに画像を送りながら、例えばチャットを行なう場合、パソコンとは別にオプションとして販売されている小型ＣＣＤカメラを購入する必要があった。【０００３】  この小型ＣＣＤカメラは、たいていはＵＳＢ対応周辺機器であり、これを使用する際は、図２に示すようにノートパソコン（１００）におけるＵＳＢポート（１０１）に小型ＣＣＤカメラ（１０２）接続したうえで、当該ＣＣＤカメラ本体（１０２）をパソコン本体に取り付けたり、あるいは机の上に置いて通信を行っていた（特許文献１）。
【特許文献１】特開平１０−２２４６８７号公報
【考案の開示】
【考案が解決しようとする課題】
【０００４】  しかしながら、パソコンから画像を送信する必要があるたびに、ＵＳＢポートに差し込み、ＣＣＤカメラ本体を取り付けるのは大変不便であり、また取付け作業の際、誤ってレンズに指紋を付けてしまうこともたびたびあった。【０００５】  さらには、パソコン、特にノートパソコンを移動させる場合は、別途ＣＣＤカメラも一緒に持ち運ぶ必要があり、使用者は面倒な想いをした。【０００６】    ［考案の目的］
本考案は上記の実情に鑑みてなされたものであり、その目的は、使用するたびにＣＣＤカメラを取り付ける必要がなく、  これにより取付け作業の際、誤ってレンズに指紋を付けてしまうこともなく、またパソコンを移動させる場合でも別途ＣＣＤカメラも一緒に持ち運ぶ必要のないパソコンを提供するところにある。
【課題を解決するための手段】
【０００７】  請求項１に記載のカメラ内蔵パソコンは、カメラを内蔵したパソコンであって、モニターを包囲するモニター枠部にＣＣＤカメラを内蔵し、インターネット等のコンピュータネットワークを通じてリアルタイムに画像を送りながら電子メールやチャットなど文字ベースでの会話を行なえるようにしたことを特徴とする。【０００８】  請求項２に記載のカメラ内蔵パソコンは、カメラを内蔵したパソコンであって、モニターを包囲するモニター枠部の幅方向中央部にＣＣＤカメラを内蔵し、インターネット等のコンピュータネットワークを通じてリアルタイムに画像を送りながら電子メールやチャットなど文字ベースでの会話を行なえるようにしたことを特徴とする。
【考案の効果】
【０００９】  請求項１に記載のカメラ内蔵パソコンは、モニターを包囲するモニター枠部にＣＣＤカメラが内蔵されているので、ＣＣＤカメラを使用するたびに取り付ける必要がなく、これにより取付け作業の際、誤ってレンズに指紋を付けてしまうこともなく、またパソコンを移動させる場合でも別途ＣＣＤカメラも一緒に持ち運ぶ必要はない。【００１０】  請求項２に記載のカメラ内蔵パソコンは、請求項１に記載のカメラ内蔵パソコンが奏する作用効果に加え、次のような作用効果を奏する。すなわち、ＣＣＤカメラが、モニターを包囲するモニター枠部の幅方向中央部に内蔵されているので、当該パソコンを使用する人の画像を、インターネットやイントラネット、ＬＡＮなどのネットワーク機能を用いて送信しようとする場合、その人の顔あるいは上半身を真正面から映すことができ、それを受け取る人にもハッキリとした画像となるので好都合である。
【考案を実施するための最良の形態】
【実施例】
【００１１】  以下、本考案の一実施形態を図面に基づいて説明するが、本考案はこれによって限定されるものではない。【００１２】  図１は、本考案に係るノートパソコン（１０）の斜視図である。符号（１２）はモニター（１４）を包囲するモニター枠部である。【００１３】  モニター（１４）の下側のモニター枠部（１２）における幅方向中央部には小型のＣＣＤカメラ（１６）が内蔵され、このＣＣＤカメラ（１６）におけるレンズが真正面からノートパソコン（１０）使用者の顔あるいは上半身に向けられている。【００１４】  なお、図１ではモニター（１４）の下側のモニター枠部（１２）にＣＣＤカメラ（１６）を内蔵させたが、これに限らず、モニター（１４）の上側のモニター枠部（１２）にＣＣＤカメラ（１６）を内蔵することもできる。【００１５】  また、本実施例ではノートパソコン（１０）にＣＣＤカメラ（１６）を内蔵させたが、これに限らず、デスクトップパソコンにおけるモニターの近傍に内蔵させることもできる。【００１６】  本考案のノートパソコン（１０）によれば、モニター枠部（１２）にＣＣＤカメラ（１６）が内蔵されているので、ＣＣＤカメラ（１６）を使用するたびに取り付ける必要がなく、これにより取付け作業の際、誤ってレンズに指紋を付けてしまうこともなく、またノートパソコン（１０）を移動させる場合でも別途ＣＣＤカメラ（１６）も一緒に持ち運ぶ必要はなくなる。【００１７】  また、ＣＣＤカメラ（１６）が、モニター（１４）を包囲するモニター枠部（１２）の幅方向中央部に内蔵されているので、ノートパソコン（１０）使用者の画像を送信する場合、その人の顔あるいは上半身を真正面から映すことができ、それを受け取る人にもハッキリとした画像となる。
【図面の簡単な説明】
【００１８】
【図１】本考案に係るノートパソコンの斜視図である。
【図２】従来のノートパソコンの斜視図であり、オプションのＣＣＤカメラを取り付けた状態を示す図である。
【符号の説明】
【００１９】  １０……ノートパソコン
１２……モニター枠部
１４……モニター
１６……ＣＣＤカメラ
【図１】
0003113062.tif 000003
【図２】
0003113062.tif 000004
(57)【要約】      （修正有）【課題】歯と歯茎の洗浄とマッサージが一本の歯ブラシで簡単利便に出来、多様なマッサージ効果を確保する歯ブラシの提供。【解決手段】１は、スポンジゴム平面、２は、半円型凹部分。半円型凹部分により、ゴム平面の細分化を図り、より多様な弾性とクッション性と心地よいマッサージ効果をもたらす。このマッサージ用スポンジゴムブラシを歯ブラシの反対側に定着し、ブラシ４とマッサージ用スポンジゴム１を一本の歯ブラシの両面に取付けた。【選択図】図２
0003113027.tif 000002
【実用新案登録請求の範囲】
【請求項１】
ブラシ歯ブラシの根元部分（反対側）に、スポンジゴムの表面、中央部に任意一定の半円型凹部を、設定したるものを定着し、ブラシ歯ブラシとスポンジゴムのマッサージ歯ブラシを一体にしたるもの。
【考案の詳細な説明】
【目的】
【０００１】  歯と歯茎の健康管理は歯の洗浄が主体ですが、歯の根である歯茎の健康管理も重要であります。当考案の目的は、歯茎のマッサージを重点にし、しかも歯の洗浄も一本の歯ブラシで使用出来る利便を提供するものであります。
【考案の効果】
【０００２】  従来の歯磨き作業はブラシ歯ブラシによる歯の洗浄が主体で、亦歯茎のマッサージが歯の健康管理に必要と分かりながら、ブラシ歯ブラシと、歯茎マッサージ用歯ブラシとの二本の使い分けが面倒でした。
当考案の両面によるブラシ歯ブラシとスポンジゴムによるマッサージ歯ブラシの一本化により、洗浄とマッサージが簡単に利便に行う事が出来ます。
歯と歯茎のマッサージの普及の一助になるものであります。
【図面の簡単な説明】
【０００３】
【図１】スポンジゴムによるマッサージ用歯ブラシと歯の洗浄用歯ブラシの  平面図
【図２】図の側面図はマッサージ用歯ブラシと、洗浄用ブラシ歯ブラシの一体化したるものです。▲１▼のスポンジゴムは表面が平面であり、良的な弾性とクッション性があるので心地よいマッサージ効果があります。▲２▼、半円型凹部分と、スポンジゴムの、  ゴム平面の細分化によってマッサージ時に歯と歯茎の凹凸の多様に効果的なマッサージが出来ます。▲４▼ブラシ歯ブラシは歯の洗浄が出来ます。
【符号の説明】
【０００４】符号１．スポンジゴム
２．半円型凹部分
４．ブラシ
【図１】
0003113027.tif 000003
【図２】
0003113027.tif 000004
(57)【要約】      （修正有）【課題】軽量で手首への負担の少ない壁紙押えローラーの提供。【解決手段】ローラー部を分割し、支え棒を中央から出し角度をつけローラーの径を小さくし巾を広げ加圧増加と分散防止のために親指のせを設置する。【選択図】図１
0003113026.tif 000002
【実用新案登録請求の範囲】
【請求項１】
回転押さえローラーを分割しローラーとにぎり部に角度をつけて親指をのせ、押さえる力をローラー部に伝え力の無駄をなくし、軽量化した押さえローラーである。
【考案の詳細な説明】
【技術分野】
【０００１】本考案は、壁紙の押さえローラーに関する。
【背景技術】
【０００２】従来のローラーは押さえる力が分散し片側からでたローラーの支え棒がキズつけることがあった。
【考案の開示】
【考案が解決しようとする課題】
【０００３】しかし、これでは通し棒が長い分だけ重く手首への負担が大きく天井や高所での作業が困難であった。
【課題を解決するための手段】
【０００４】そこで、ローラー部を分割し径を小さくし巾を広くし押さえ部に指のせをつけ加圧を増加させ角度をつけて力の分散をふせいだ。
【図面の簡単な説明】
【０００５】
【図１】  考案の見取り図
【図２】  従来の見取り図
【符号の説明】
【０００６】
【図１】
0003113026.tif 000003
【図２】
0003113026.tif 000004
(57)【要約】【課題】  ステアリングホイールの断面径の大小に拘らず使用でき、かつ、ハンドルカバーの使用も可能なハンドル補助具の提供。【解決手段】  半円弧状の挟持部１，１およびこれに続く柄部２，２より成る挟持体３，３を上下一体に配し、それぞれの柄部２，２には透孔４，４を穿ち、操作ノブ８を回転自在に設けた螺管体６に対し、螺杆５をそれぞれの透孔４，４に挿通して緊締することにより、一対の挟持体３，３の挟持部１，１により所望のステアリングホイールＡにゴム板９を介して挟持固着できるようにして成ることを特徴とするハンドル補助具。【選択図】        図１
0003113975.tif 000002
【実用新案登録請求の範囲】
【請求項１】
半円弧状の挟持部およびこれに続く柄部より成る挟持体を上下一体に配し、それぞれの柄部には透孔を穿ち、操作ノブを回転自在に設けた螺管体に対し、螺杆をそれぞれの透孔に挿通して緊締することにより、一対の挟持体の挟持部により所望のステアリングホイールにゴム板を介して挟持固着できるようにして成ることを特徴とするハンドル補助具。
【請求項２】
一対の挟持体の挟持部には、ステアリングホイールとの間にゴム板を介在させて成ることを特徴とする請求項１記載のハンドル補助具。
【考案の詳細な説明】
【技術分野】
【０００１】
本考案は、自動車用のハンドル補助具に関する。
【背景技術】
【０００２】
この種のハンドル補助具は、ハンドルのステアリングホイールに附設するものとして、片手の身障者ないしは運転マニアに多く用いられている。
【０００３】
図３に示すものは、従来例であって、以下の構成を備える。
【０００４】
先端を軸１１支させた上下一対の半円弧状の挟持部１２と、これに続く平板部１３を備え、それぞれの平板部１３，１３に透孔１４，１４を穿ち、回転自在の操作ノブ１５を先端に有する螺杆体１６を挿通し、この螺杆体１６に挿通した上下二個の螺体（ナット）１７，１７と、平ワッシャー１８と、スプリングワッシャー１９を介してハンドルのステアリングホイールＡに装着した挟持部１２，１２の平板部１３，１３を締付けて確固に固着できるようになっている。
【０００５】
なお、符号２０は、ステアリングホイールＡの表面に介在させたゴム板である。
【考案の開示】
【考案が解決しようとする課題】
【０００６】
上述の従来例では、ステアリングホイールＡを抱持する半円弧状の挟持部１２，１２は、その先端が軸１１で枢支されているので、ステアリングホイールＡの断面径が大きくなると、半円弧状の挟持部１２，１２が、適正に順応せず、使用不能となる不都合を生ずるのみならず、ハンドルカバーも軸１１の外方への突出により、使用不能となるなどの不都合があった。
【０００７】
本考案は、叙上の点に着目して成されたもので、ステアリングホイールの断面径の大小に拘らず使用でき、かつ、ハンドルカバーの使用も可能なハンドル補助具を提供することを目的とする。
【課題を解決するための手段】
【０００８】
本考案は、以下の構成を備えることにより、上記課題を解決できる。
【０００９】
（１）半円弧状の挟持部およびこれに続く柄部より成る挟持体を上下一体に配し、それぞれの柄部には透孔を穿ち、操作ノブを回転自在に設けた螺管体に対し、螺杆をそれぞれの透孔に挿通して緊締することにより、一対の挟持体の挟持部により所望のステアリングホイールにゴム板を介して挟持固着できるようにして成ることを特徴とするハンドル補助具。
【００１０】
（２）一対の挟持体の挟持部には、ステアリングホイールとの間にゴム板を介在させて成ることを特徴とする前項（１）記載のハンドル補助具。
【考案の効果】
【００１１】
本考案によれば、ステアリングホイールの断面径の大きさに殆んど関係することなく、ステアリングホイールの外周にゴム板を介して一対の挟持体で係止でき、しかも柄部に設けた透孔に螺杆を介して、操作ノブの螺管体を回転自在に係止できる。
【００１２】
ステアリングホイールの外周には、突出部材がないので、好みのホイールカバーを被着できる。
【考案を実施するための最良の形態】
【００１３】
つぎに、本考案の一実施例を、図１および図２を参照しながら説明する。
【実施例】
【００１４】
１，１はステアリングホイールＡを上下から抱持する挟持部、２，２はこの挟持部１，１に連設される平板状の柄部を示し、前記挟持部１，１と一体となって、一対の挟持体３，３を形成している。４，４は前記柄部に設けた透孔、５は両透孔４，４と貫通する緊締用の螺杆、６は前記螺杆５が螺合できる螺管体を示しこの螺管体６の頂部には、φ軸７で回転自在に枢着された操作ノブ８を備える。なお、前記挟持部１，１のステアリングホイールＡと当接する側には、多数の小突起１ａを突設してあり、ゴム板９との喰い込みを良くしてステアリングホイールＡとの挟持を確実にしている。
【００１５】
叙上の構成より成るので、図１に示すように、ステアリングホイールＡの外周に上下より挟持体３，３を臨ませ、挟持部１，１にゴム板９を被覆させてステアリングホイールＡを抱持させ、柄部２，２を重ね合わせ乍ら透孔４，４を一致させて螺杆５を挿通し、操作ノブ８を回転自在に備えた螺管体６に螺合させ、緊締させることにより、挟持部１，１は確実にステアリングホイールＡに取付けることができる。
【００１６】
ステアリングホイールＡの外周には、突出部がないので、通常のステアリング用カバーの着脱が可能となると共に、挟持部１，１は分離してステアリングホイールＡに被着できるので、ステアリングホイールの断面径の大小は全く関係なく、大小好みのステアリングホイールに装着できる。
【図面の簡単な説明】
【００１７】
【図１】本考案の一実施例を示す分解側面図
【図２】使用状態の一部切欠側面図
【図３】従来例の分離側面図
【符号の説明】
【００１８】
１  挟持部
２  柄部
３  挟持体
４  透孔
５  螺杆
６  螺管体
８  操作ノブ
９  ゴム板
Ａ  ステアリングホイール
【図１】
0003113975.tif 000003
【図２】
0003113975.tif 000004
【図３】
0003113975.tif 000005
(57)【要約】      （修正有）【課題】いつでも、どこの平担な場所でも容易に独自でトーイン測定ができ、安全確認ができる上、その後、器具も分解して収納できる。【解決手段】ガス管（ＳＧＰ）にて測定台を設け、その台上のチー１に丸棒３を貫通させたところに固定ボルト２を設け、丸棒先端をタイヤホイールリム外周上に両側よりはさみこみ調整固定させ締め付けることにより、リム外周の１８０度回転後の、巾の変化量を容易に測定することができ、トーイン整備がすすみ、走行安全性が増す。【選択図】図１
0003113987.tif 000002
【実用新案登録請求の範囲】
【請求項１】
ガス管（ＳＧＰ）にて台を設け、当該台上のチーに丸棒を貫通させたところに、固定ボルトを設け、丸棒を任意位置に調整し、固定可能にならしめたる分解組立式簡易トーイン測定器具（自動車整備用）
【考案の詳細な説明】
【技術分野】
【０００１】  本考案はガス管（ＳＧＰ）にて台を設けたところに丸棒を調整固定させて自動車タイヤのトーインを容易に測定するための分解組み立て式自動車整備器具に関するものである。
【背景技術】
【０００２】  自動車タイヤを交換した場合、車軸高さの変化によりトーインが変化するので、専用の修理工場にて精密測定器具を使用し判定する為に高額費用が負担されていた。
【考案の開示】
【考案が解決しようとする課題】
【０００３】  専用修理工場にての測定は設備投資も大きい為、測定は経済的負担も大きく、何度も繰り返し判定するのはきわめて困難である。従って、タイヤ交換のつど独自で容易に場所をかまわず測定することは安全走行上不可欠である。
【問題を解決するための手段】
【０００４】  本考案はガス管（ＳＧＰ）にて測定台を設け、その台上のチーに丸棒を貫通させた所に固定ボルトを設け、丸棒を任意位置に調整し固定可能ならしめたる分解組み立て式簡易トーイン測定器なので平坦な場所であればどこでも設置し測定が簡単に出来るので容易に安全確認が可能となり問題を解決している。
【考案の効果】
【０００５】  上述のように、本考案の分解組み立て式簡易トーイン測定器具はいつでも平坦な場所ならば容易に組み立て可能なので、トーインが測定でき、費用もほとんどかからず何回でも独自に必要なときに測定ができ安全確認が可能。
【考案の実施するための最良の形態】
【０００６】  ガス管（ＳＧＰ）にて組み立てられた台は車のタイヤの後外側へ、車巾以上の長ニップルにて固定されて、対をなして設けられ、両側からタイヤホイールの車軸と同じ高さのリムへ、台上のチーを通した丸棒をあてて、はさみこんだところでチーにつけたボルトで固定する。次に両丸棒が固定されたまま器具全体をはずしタイヤを１８０度分回転させたところで、移動してきたリムの同じ位置をタイヤ前外側より器具で測定する。この時のすき間量の変化を確認すればトーインはこれで簡易測定可能である。
【実施例】
【０００７】  以下、添付図面に従って一実施例を説明する。１はガス管（ＳＧＰ）チーの上部に２ヵ所タップを切りボルトを取り付けたもので、  ３はチーに通した丸棒、  ４は丸ニッル  、  ５はソケット、６は長ニップル、７はチー、８は車巾プラス１００ｍｍ程の長ニップルで、以上のガス管材の組み立てによってタイヤホイールリムの車軸高さ１１に丸棒３が固定されるようにして、ホイールリムを反対側の対の丸棒と、挟み込んで丸棒をボルトで固定し、（図３）のごとくタイヤの後ろ側より始めた後、一度、測定器具をはずし、タイヤを１８０度回転させ、今度は（図４）のごとく前側から、位置１１より１２へ来た点へ丸棒３を接触させ、そのすき間を測定すればそれがトーインである。
【図面の簡単な説明】
【０００８】
【図１】本考案の分解組立式簡易トーイン測定器具の実施例を示す組立図である。
【図２】本測定器具の丸棒取り付け部チーの断面図である。
【図３】本測定器具の始めの測定位置と組立全体図
【図４】本測定器具の次の測定位置
【符号の説明】
【０００９】  １  チーにねじ穴加工したもの
２  ボルト
３  丸棒
４  丸ニップル
５  ソケット
６  長ニップル
７  チー
８  長ニップル（車巾プラス１００ｍｍ程）
９  タイヤホイールの外側リム
１０  タイヤ
１１  初めのホイールリム上の測定点
１２  次のホイールリム上の測定点
【図１】
0003113987.tif 000003
【図２】
0003113987.tif 000004
【図３】
0003113987.tif 000005
【図４】
0003113987.tif 000006
【手続補正書】
【提出日】平成16年11月11日(2004.11.11)
【手続補正１】
【補正対象書類名】実用新案登録請求の範囲
【補正対象項目名】全文
【補正方法】変更
【補正の内容】
【実用新案登録請求の範囲】
【請求項１】
ＳＧＰガス管にて、自動車の左右ホイールリム外周間をはさむように横Ｃ字形に組み立てた管材の，加工したチーに取り付けられた丸棒で、車軸高さで挟み込むように固定して，車軸前後での車輪巾の差を０．５ｍｍ単位でみきわめる器具で、ホイールリムとの接触面は丸棒端面で、チー取付部はＳＧＰガス管でＴ字形に組み立てられているところを特徴とする自動車整備用のトーイン調整の為の分解組み立て式簡易トーイン測定器具
【手続補正書】
【提出日】平成17年3月16日(2005.3.16)
【手続補正１】
【補正対象書類名】実用新案登録請求の範囲
【補正対象項目名】全文
【補正方法】変更
【補正の内容】
【実用新案登録請求の範囲】
【請求項１】
ＪＩＳの配管用鋼管である配管用炭素鋼管ＳＧＰ、水道用亜鉛メツキ鋼管ＳＧＰＷ又は配管用ステンレス鋼管ＳＵＳ−ＴＰを使用して、自動車の左右ホイールリム外周間をはさむように（図３）のごとく、カタカナの横コの字形に組み立てた管材の先端に取り付けたチー（１）を介して、Ｔ字形に取り付けられた丸棒（３）を車軸高さで、両ホイールリムを挟み込むように堅く固定し、その後、組み立てられた管材の剛性と弾性を利用し、全体をそのまま固定したままではずし、再度そのままの状態にて、（図４）の位置にすえつけて、車軸前後での車輪巾の差を、すなわち丸棒とホイールリム間の隙間を見極め、器具は全体としてみれば横Ｃ字形に丸棒と管材で構成され、この構造体の剛性と弾性を利用するところを特徴とする、自動車整備用のトーイン調整の為の分解組立式簡易トーイン測定器具
【手続補正書】
【提出日】平成17年5月30日(2005.5.30)
【手続補正１】
【補正対象書類名】実用新案登録請求の範囲
【補正対象項目名】全文
【補正方法】変更
【補正の内容】
【実用新案登録請求の範囲】
【請求項１】
カタカナの横コの字形に組み立てた鋼管の先端に取り付けたチー（１）を介して、Ｔ字形に取り付けられた丸棒（３）を車軸と同じ高さの両ホイールリム外周部の位置に挟み堅く固定し、その後、組み立てられた鋼管の鋼性と弾性を利用し、上記ホイールリムより丸棒をはずし、再度そのままの状態にて、車軸を挟んで車軸と同じ高さのホイールリム外周部の反対側の位置に固定して、車軸前後での車輪幅の差を、すなわち、丸棒とホイールリム間の隙間を見極め、器具は全体としてみれば横Ｃ字型に丸棒と鋼管で構成され、この構造体の鋼製と弾性を利用するところを特徴とする、自動車整備用のトーイン調整の為の分解組立式簡易トーイン測定器具
(57)【要約】【課題】暗い遠距離の場所や対象物を近距離から広範囲にわたり暗闇を双眼鏡で高画質な映像を映し出す事を可能にしたＣＣＤカメラ付双眼鏡を提供することにある。【解決手段】ＣＣＤカメラ付双眼鏡は双眼鏡の接眼部の中心点９と暗い所でも映し出す事の出来るカラーＣＣＤカメラと赤外線対応白黒ＣＣＤカメラの中心点１０を結合器を使い隙間無く結合させる事で双眼鏡の望遠倍率とＣＣＤカメラの望遠レンズの望遠倍率と暗い所でも映し出すことの出来るＣＣＤカメラの性能を使い、近距離から広範囲にわたり暗闇を双眼鏡で高画質な映像を映し出す事を可能になるように構成したものである。【選択図】図１
0003113988.tif 000002
【実用新案登録請求の範囲】
【請求項１】
遠くを見る事の出来る双眼鏡の接眼部の中心点と暗い所でも映し出す事の出来るカラーＣＣＤカメラと赤外線対応白黒ＣＣＤカメラの望遠レンズの中心点とを結合器を使い隙間なく結合させる事で、近距離から広範囲にわたり暗闇を双眼鏡で映像として映し出す事が出来る事を可能にしたＣＣＤカメラ付双眼鏡。
【考案の詳細な説明】
【考案の詳細な説明】
【産業上の利用分野】
本考案は、双眼鏡と暗い所でも見ることの出来るＣＣＤカメラの結合により、今まで見る事の出来なかった夜間の遠距離の暗い場所や立体物を高画質で映し出す昼夜兼用可能なＣＣＤカメラ付双眼鏡に関する。
【背景技術】一般的に、暗闇を撮影するＣＣＤカメラは赤外線照射を使い５ｍ〜１０ｍ範囲の対象物を観察する構造になっている。遠距離を観察する事には限界があった、また双眼鏡は肉眼で観察する構造になっており夜間の暗い場所を観察する事は出来ない構造になっている。中には昼間、双眼鏡とデジタルカメラを結合して撮影出来る構造の物しかなかった。またビデオカメラの夜間のズーム倍率にも限界があり画質の乱れや明るさが少ないため高画質な映像が見る事が出来なかった。
【考案が解決しようとする課題】
上記構造のため、従来の双眼鏡やＣＣＤカメラでは望遠で暗闇を観察するにはかなりの光源が必要であり、また赤外線対応ＣＣＤカメラは遠距離を観察する事が容易ではない、そこで暗い遠距離の場所や対象物を近距離から広範囲にわたり暗闇を双眼鏡で二台のＣＣＤカメラを使い高画質な映像を映し出す事を可能にしたＣＣＤカメラ付双眼鏡を提供することにある。
【課題を解決するための手段】
上記目的を達成するため、本考案におけるＣＣＤカメラ付双眼鏡は、双眼鏡の接眼部分の中心点と暗い所でも映し出すことの出来る二台のＣＣＤカメラの望遠レンズの中心点とを結合器を使い隙間なく結合してあり、ＣＣＤカメラのコードが電源と映像コードの二本からなり電源は１２Ｖ１Ａ未満のものを使用し映像コードは一般のテレビ及びビデオデッキ、ビデオカメラなどに接続可能でテレビやモニター専用テレビ、ビデオカメラなどで観賞もでき肉眼・双眼鏡・ＣＣＤカメラ・ビデオカメラなどで観察が容易でない暗い遠距離の場所や対象物を近距離から広範囲にわたり暗闇を二台のＣＣＤカメラ付双眼鏡で高画質な映像を映し出す事が出来ることで観察可能になるように構成したものである。
【実施例】本考案におけるＣＣＤカメラ付双眼鏡は、双眼鏡の接眼部分の中心点と暗い所でも映し出すことの出来る二台のＣＣＤカメラの望遠レンズの中心点とを結合器を使い隙間なく結合してあり、ＣＣＤカメラのコードが電源と映像コードの二本からなり電源は１２Ｖ１Ａ未満のものを使用し映像コードは一般のテレビ及びビデオデッキ、ビデオカメラなどに接続可能でテレビやモニター専用テレビ、ビデオカメラなどで観賞もでき肉眼・双眼鏡・ＣＣＤカメラ・ビデオカメラなどで観察が容易でない暗い遠距離の場所や対象物を近距離から広範囲にわたり暗闇を二台のＣＣＤカメラ付双眼鏡で高画質な映像を映し出す事が出来ることで観察可能である。
【考案の効果】
本考案は上記のとおり構成されているので、本考案のＣＣＤカメラ付双眼鏡は近距離から広範囲において０．０００１Ｌｕｘからの光源からの撮影が可能で産業や一般及び日本国の分野でも幅広く活用でき、例えば漁業の養殖の管理、外国からの密入国の管理、金融関係のキャッシングボックスの管理、田畑の動物からの被害の管理、野生動物の観察など、今まで出来なかった遠距離での暗闇での撮影が可能になる事で犯罪防止や一般でも多目的に使用でき極めて利用価値がある。
【図面の簡単な説明】
【図１】本考案の実施例のＣＣＤカメラ付双眼鏡の上面図
【図２】双眼鏡本体の上面図
【図３】ＣＣＤカメラと双眼鏡を隙間なく結合する為の結合器の側面図
【符号の説明】
１・・・双眼鏡の中心点、２・・・双眼鏡本体、３・・・双眼鏡本体の接眼部のレンズ部分、４・・・ＣＣＤカメラのレンズ部分、５・・・ＣＣＤカメラ本体、６・・・映像コード、７・・・電源コード、８・・・結合器本体、９・・・双眼鏡の接眼部の中心点、１０・・・ＣＣＤカメラのレンズの中心点、１１・・・ＣＣＤカメラの固定ねじ
【図１】
0003113988.tif 000003
【図２】
0003113988.tif 000004
【図３】
0003113988.tif 000005
(57)【要約】      （修正有）【課題】鉢植えの草木を、観賞用として室内に置くことが多かったが、ホコリをかぶり又花粉などの悪影響を防止する。【解決手段】本発明品を、サッシ（JIS規格）の窓枠の屋外に設置、その際網戸のレールに取り付けるものとする。そこに鉢植えの草木を置くことにより、室内にいながら、屋外の草木を観賞できるものとする。特に建物の２階に最適である。【選択図】図２
0003113990.tif 000002
【実用新案登録請求の範囲】
【請求項１】
建物の２階以上では、従来鉢植えは室内におかれていたが、ホコリをかぶり、又花粉などの悪影響があったため、それを解消するための器具。
【考案の詳細な説明】
【技術分野】
【０００１】
本考案は、サッシの窓枠（網戸のレール）に設置するだけでガーデニングを楽しめる器具に関するものである。
【背景技術】
【０００２】
鉢植えの草木を、従来観賞用として室内に置くことが多かったが植物アレルギーなど問題点も多かった、そこで本発明の器具を窓枠（網戸のレール）すなわち屋外に取り付けることによりガーデニングを楽しむ。
【考案の開示】
【考案が解決しようとする課題】
【０００３】
解決しようとする問題点は、上記に記したような器具は、見当たらなかった。また高齢化社会の到来と共にガーデニング人口の増加に貢献しようとするものである。
【課題を解決するための手段】
【０００４】
本考案は、草木を室内に置かずに、この器具を窓枠（屋外）に取り付け、そこに            鉢植えの草花を置き楽しむことができるものとする。
【考案の効果】
【０００５】
本考案の器具は、木材の板の周りを枠で囲んでいる。その枠は、ファッション性と共に風などで鉢植えの草木が落下しないようにしたものである。そこに特殊な金具を装着し窓枠
（JIS規格のサッシ）に設置するものである。
【考案を実施するための最良の形態】
【０００６】
本考案の材料は、モデル的な物であり、軽量化のため強化プラスチックを材料とすることが最も最適と判断する。もちろん木材でも可。
【図面の簡単な説明】
【０００７】
【図１】図１は、本考案品断面図である。
【図２】図２は、サッシ（JIS規格）に、本考案品を、設置したときの図である。
【図１】
0003113990.tif 000003
【図２】
0003113990.tif 000004
【手続補正書】
【提出日】平成17年2月9日(2005.2.9)
【手続補正１】
【補正対象書類名】実用新案登録請求の範囲
【補正対象項目名】全文
【補正方法】変更
【補正の内容】
【実用新案登録請求の範囲】
【請求項１】
建物の２階以上では、従来鉢植えは室内に置かれていたが、ホコリをかぶり、又花粉などの悪影響があったため、それを解消するために考案した器具。これを追行するため四角形もしくは、長方形の板の周囲を枠で囲い（木材又は強化プラステックの素材）そこに、鉄製のとめがねおよびネジを装着し固定させ、サッシの網戸のレールに取り付ける（取り外し自由）ことにより、室内からガーデニングを楽しむことができるようにする。
【手続補正書】
【提出日】平成17年6月28日(2005.6.28)
【手続補正１】
【補正対象書類名】実用新案登録請求の範囲
【補正対象項目名】全文
【補正方法】変更
【補正の内容】
【実用新案登録請求の範囲】
【請求項１】
鉢を置くための板と、前記板の周囲に設けた枠と、前記板の下部に前記板に対して水平方向にのびる鉄材と、かつ、前記板に対して下方向にのびる鉄材とからなる「く」の字型の鉄材と、前記水平方向にのびる鉄材の上部に前記板を介して設けられた前記板に対して水平方向に伸び、かつ、前記板よりもはみだした領域を有するアルミ板と、前記アルミ板、板及び水平方向に伸びる鉄材に貫通して設けられたネジと、前記アルミ板のはみだした領域に設けられたネジと、前記下方向に伸びる鉄材に設けられたネジと、からなる草木窓枠用テラス。
(57)【要約】【目的】  しおり本体を係止する軸が書籍や手帳の中身を直接挟むことが可能な取り付けクリップ部で、このクリップ部が、金属やプラスチック等の樹脂で作成されている場合、使用者が書籍や手帳を持ち歩いている時の振動や、荷物等で書籍や手帳の中身に力が掛かった時には軸としてのクリップ部が湾曲したり、軸としてのクリップ部がプラスチック等の樹脂で作成されている場合には、割れてしまい使用することが不能になってしまうという課題があり、しおりを係止している部材に強い力が掛かっても、破損することのない着脱式のしおりを提供すること。【構成】  軸の頭部に係止具を設け、該係止具を利用して１つ以上のしおりを接続し、前記軸は先端から手帳等に挿入して装着可能とし、前記軸は、バネ性を有する構造とした。  【選択図】  図１
0003113959.tif 000002
【実用新案登録請求の範囲】
【請求項１】
軸の頭部に係止具を設け、該係止具を利用して１つ以上のしおりを接続し、前記軸は先端から手帳等に挿入して装着可能としたことを特徴とする着脱式しおり。
【請求項２】
前記軸は、バネ性を有する構造としたことを特徴とする請求項１記載の着脱式しおり。
【考案の詳細な説明】
【技術分野】
【０００１】
本考案は、書籍カバー、手帳などに着脱可能なしおりに関し、書籍カバーや手帳とは別体のしおりに関する。
【背景技術】
【０００２】
従来しおりとして、書籍の背表紙の上端に接着固定されているしおり紐や、しおり本体を係止する軸が、書籍や手帳の中身を直接挟むことを可能とする取り付けクリップ部となっており、この取り付けクリップ部の頭部に挟持部を形成し、該挟持部を利用して１本以上のしおり紐を挟持連結可能としておき、前記取り付けクリップの先端を書籍などの一部に挿入して着脱可能とした着脱式のしおりが知られている。
【特許文献１】特開２００４−１４２２７８号
【考案の開示】
【考案が解決しようとする課題】
【０００３】
上記、従来の方法では、しおり本体を係止する軸が書籍や手帳の中身を直接挟むことが可能な取り付けクリップ部で、このクリップ部が、金属やプラスチック等の樹脂で作成されている場合、使用者が書籍や手帳を持ち歩いている時の振動や、荷物等で書籍や手帳の中身に力が掛かった時には軸としてのクリップ部が湾曲したり、軸としてのクリップ部がプラスチック等の樹脂で作成されている場合には、割れてしまい使用することが不能になってしまうという課題があった。
【課題を解決するための手段】
【０００４】
本考案は上記の問題点に鑑みなされたもので、軸の頭部に係止具を設け、該係止具を利用して１つ以上のしおりを接続し、前記軸は先端から手帳等に挿入して装着可能とし、前記軸は、バネ性を有する構造とした。
【考案の効果】
【０００５】
本考案によれば、しおり部分を係止する軸部分は、バネ性を有する構造としたので軸部分に力が掛かっても湾曲したままの状態になったり、割れてしまうといったことが無く、しおりとして使用が不能になってしまうというようなことがないものである。
【考案を実施するための最良の形態】
【０００６】
本考案の構成は、バネ性を有する軸の頭部に金属や繊維、樹脂等で構成されるしおり係止部を設け、このしおり係止部にしおりを取り付けた構造になっている。
【実施例１】
【０００７】
以下、添付図面に基づいて本実施例を説明する。図１は、本実施例の着脱式しおりである。１はしおりであり、手帳や本等の一部分に挿入されるものである。このしおり１には、しおり係止具２を貫通させる為の貫通孔３が設けられている。前記しおり係止具２は、金属の鎖や繊維又は樹脂で作成した紐で作成されるものである。
【０００８】
４は、軸５側に設けられたしおり係止具２を係止するリング部４である。図示するようにリング部４は、しおり係止具２を貫通することが可能なように貫通孔を設けているものである。リング部４の軸５への取り付け方法としては、接着や溶着等の方法で行われるものである。軸５は、バネ性を持っており矢印６の方向から力が掛かった場合には、矢印７の方向に傾斜し、バネ性を持つことによる復元力によって、再び矢印８の方向に傾斜して基の位置に戻るものである。軸５は、手帳カバー９と手帳本体の背表紙（図示せず）の間に挿入して使用する為、軸５の長さは手帳カバー９の３分の２の長さになる様に設計してあるものである。軸５の長さを手帳カバー９の３分の２よりも短くした場合には、手帳カバー９と手帳本体の背表紙（図示せず）の間に挿入した場合に安定感が悪く、使用者（図示せず）が使用中または移動中の振動等の作用により、手帳カバー９と手帳本体の背表紙から抜け出てしまうことがある。軸５の材質としては、金属や樹脂を採用するものである。
１０は、手帳カバー９に設けられた収納部１１に軸５を挿入したときに、手帳カバー９にキズを付けないようにするための保護具である。保護具１０の先端部分は、丸みをもった構造となっている。保護具１０の軸５への取り付け方法としては、接着や溶着等の方法で取り付けられているものである。また、保護具１０の材質としは、金属や樹脂、紙で構成可能であるが先端部分は、手帳カバー等をキズ付けないことが必要なので、丸みを持った構造としなくてはならない。
１１は軸５に設けられている保護具１０が、収納される収納部である。手帳カバー９にセットされる手帳本体１２（図３を参照）が、セットされたときに手帳本体１２の背表紙（図示せず）が位置する場所に設けられている。
上記収納部１１は、上記したように軸５の保護具１０が収納されるので、袋になっているものである。手帳カバー９の内側に糸等を使用して、縫い付けて設けているものである。
【０００９】
次に図２、図３を用いて本実施例の使用状態について説明する。しおり１を係止する軸５は、手帳カバー９に手帳本体１２がセットされ、手帳本体１２の背表紙（図示せず）が位置する場所にセットされる。これは上記したように収納部１１が設けられているので、そこに軸５が収納され位置決めが行えるものである。また、収納部１１に軸５先端の保護具１０が格納されていることと、手帳本体１２の背表紙（図示せず）が軸５に接触する為に、軸５を手帳カバー９に確実にセットすることが可能である。
更に、軸５はバネ性をもった構造となっているので、手帳本体１２の背表紙が軸５に強く接触した場合でもバネ力の作用により、変形したり、破損したりすることが無い。
次に、手帳カバー９に手帳１２がセットされると、しおり１は使用者（図示せず）の希望するページに自由にセットして、使用することができる。
また、しおりを使用しない時には、軸５を収納部１１から引き抜くことが可能である。
【図面の簡単な説明】
【００１０】
【図１】着脱式しおりの構成図
【図２】本発明の使用状態図
【図３】本発明の使用状態図
【符号の説明】
【００１１】
１  しおり
２  しおり係止具
３  貫通孔
４  リング部
５  軸
６  矢印
７  矢印
８  矢印
９  手帳カバー
１０  保護具
１１  収納部
１２  手帳本体
【図１】
0003113959.tif 000003
【図２】
0003113959.tif 000004
【図３】
0003113959.tif 000005